(57)【特許請求の範囲】
【請求項１】
接地面層（１）と該接地面層（１）の上面部に積層され且つ前記接地面層（１）よりも低弾性のクッション層（２）とを備え、釣靴のアッパー部底側に取り付けられる釣靴用の靴底であって、
前記接地面層（１）の上面部には、周縁部において上方に突出して前記クッション層（２）の外周を囲む周壁（１ａ）と該周壁（１ａ）内に掛け渡された複数の補強リブ（１ｂ、１ｃ）とが備えられ且つ前記補強リブ（１ｂ、１ｃ）によって前記周壁（１ａ）内が区画されて複数の凹部（１ｄ）が形成されてなり、前記クッション層（２）の下面部には、前記複数の凹部（１ｄ）にそれぞれ嵌入可能な複数の凸部（２ａ）が備えられてなり、該凸部（２ａ）が前記凹部（１ｄ）にそれぞれ嵌入され、前記凸部（２ａ）の凸出高さは、前記凹部（１ｄ）の凹入深さよりも長く設定されていることを特徴とする釣靴用の靴底。
【請求項２】
前記クッション層（２）は、発泡体から構成されてなる請求項１記載の釣靴用の靴底。
【発明の詳細な説明】
【０００１】
【発明の属する技術分野】
本発明は、釣りに着用される靴の靴底として使用される釣靴用の靴底に関し、詳しくは、接地面層と該接地面層よりも低弾性のクッション層とを備えた釣靴用の靴底に関する。
【０００２】
【従来の技術】
従来、この種の釣靴用の靴底としては、図５に示すものが知られている。
即ち、同図に示す靴底は、比較的硬い高弾性のゴムからなる接地面層５１（アウターソール）の上面部に、弾性に優れた低弾性のクッション層５２（ミッドソール）が接着剤で接着されて積層されてなり、足を被覆するアッパー部５３の底側に接着されて使用されるものである。
【０００３】
かかる靴底が取り付けられた靴を釣りにおいて着用すれば、例えば、ごつごつした岩場等を歩いた場合でも、接地面層５１の局部的な変形、即ち、地面の形状に応じた変形による着用者の足の裏への突き上げが防止されると共に、防波堤や岩等の硬い場所を歩いた場合であってもクッション層５２によって歩行時の衝撃が吸収される。
【０００４】
【発明が解決しようとする課題】
しかしながら、上記従来の接地面層及びクッション層を備えた釣靴用の靴底では、歩行時に着用者の体重がクッション層にかかると、体重のかかる部分にあるクッション層の構成部材が体重を回避するように外周側に移動してクッション層が外周側に広がることから、衝撃吸収性が減少すると共に、クッション層が左右にぶれやすく、歩き難いという場合があった。
【０００５】
そこで、本発明は、上記従来の問題点に鑑みなされたもので、接地面層及びクッション層を備えつつも、衝撃吸収性が減少し難く、しかも、歩き易い釣靴用の靴底を提供することを課題とする。
【０００６】
【課題を解決するための手段】
上記課題を解決すべく、本発明にかかる釣靴用の靴底は、接地面層と該接地面層の上面部に積層され且つ前記接地面層よりも低弾性のクッション層とを備え、釣靴のアッパー部底側に取り付けられる釣靴用の靴底であって、
前記接地面層の上面部には、周縁部において上方に突出して前記クッション層の外周を囲む周壁と該周壁内に掛け渡された複数の補強リブとが備えられ且つ前記補強リブによって前記周壁内が区画されて複数の凹部が形成されてなり、前記クッション層の下面部には、前記複数の凹部にそれぞれ嵌入可能な複数の凸部が備えられてなり、該凸部が前記凹部にそれぞれ嵌入されていることを特徴とする。
【０００７】
上記構成からなる釣靴用の靴底は、歩行時に着用者の体重がクッション層にかかっても、クッション層の外周が周壁に囲まれると共に、補強リブによって周壁が外周側に広がることが抑制されて、クッション層が外周側に広がる恐れが減少する。
しかも、周壁内が補強リブにより区画されて形成された複数の凹部にクッション層の複数の凸部が嵌入されて、該凸部は凹部に支持されることになり、該凸部の近傍にあるクッション層を構成する部材は該凸部に規制されるように移動が制限され、更に、凹部に支持された凸部間にあるクッション層を構成する部材は、両方の凸部から規制されるように移動が制限され、クッション層が左右にぶれにくくなる。
【０００８】
本発明にかかる釣靴用の靴底においては、前記凸部の突出高さが前記凹部の凹入深さよりも長く設定されている。
かかる構成を採用することにより、凹部に嵌入された凸部が凹部内で上下方向に伸縮できることから、衝撃吸収性に優れると共に、補強リブによるクッション層への突き上げを抑制でき、足の裏への突き上げ感を減少させることができる。
【０００９】
また、前記クッション層は、発泡体から構成されてなるものが好ましい。
発泡体は、衝撃吸収性を有するのみならず、熱伝導性の極めて低い空気を包含することから、上記構成を採用することにより、地面の温度が足の裏に伝わりにくく、冬場や夏場においても快適に釣りを行うことができる。
【００１０】
【発明の実施の形態】
以下、本発明の実施の形態に付いて、図面を参照しつつ説明する。
図１は本実施形態の釣靴用の靴底を示す上面図である。
図１に示すように、本実施形態の釣靴用の靴底は、所謂アウターソールと称される接地面層１の上面（反接地面）部に、所謂ミッドソールと称されるクッション層２が積層されてなる。
【００１１】
図２は、図１のＡ−Ａ線断面図である。
図２に示すように、前記接地面層１の上面部と前記クッション層２の下面部とが互いに嵌合する形状に形成され、これらが互いに嵌合した状態となっている。
【００１２】
図３は、前記接地面層１を示す上面図である。
前記接地面層１は、前記クッション層２を構成する部材よりも耐摩耗性に優れ且つ高弾性な部材、例えば、通常（スチレン含有率２３．５％）のスチレン・ブタジエンゴムよりもスチレン含有率の高いハイスチレンゴムが足形（足の平の形状）に成形されてなる。
【００１３】
前記接地面層１の上面部には、周縁部において上方に突出して前記クッション層２の側面全面を環状に囲む周壁１ａが備えられ、周壁１ａ内にクッション層２を嵌入できるように構成されている。
尚、周壁１ａの上方に突出する高さは、クッション層２の肉厚と略同程度に設定されており、これにより、クッション層２は、上面が周壁１ａの上端と面一となるまで嵌入できる構成である。
【００１４】
しかも、周壁１ａに囲まれた周壁１ａ内においては、周壁１ａの任意の二点間に掛け渡された上方に突出する複数の補強リブ１ｂ、１ｃが格子状に設けられている。
詳しくは、周壁１ａの爪先側と踵側とを結ぶ前後方向に伸びた複数の縦リブ１ｂと、周壁１ａの両側を結ぶ幅方向に伸びた複数の横リブ１ｃとが格子模様を形成するように一体的に備えられている。尚、この補強リブ１ｂ、１ｃは、前記周壁よりも突出する高さが低く設定されている。
【００１５】
そして、この格子状に設けられた複数の補強リブ１ｂ、１ｃによって周壁１ａ内が区画されて、補強リブ１ｂ、１ｃに囲まれた複数の凹部１ｄ及び補強リブ１ｂ、１ｃと周壁１ａに囲まれた複数の凹部１ｄがそれぞれ接地面層１の上面部に形成されている。
【００１６】
前記クッション層２は、前記接地面層１よりも低弾性で衝撃吸収性に優れた部材、例えば、発泡成形されたポリスチレン、ポリウレタン等が足形に成形されてなる。
このクッション層２は、下面部において前記凹部１ｄに対応する位置に、前記凹部１ｄにそれぞれ嵌入可能な凸部２ａが格子状に備えられている。
【００１７】
また、クッション層２は、図４に示すように、それぞれの凸部２ａが対応するそれぞれの凹部１ｄに嵌入されつつ、全体としては、クッション層２の上面と周壁１ａの上端とが略面一となるように接地面層１の周壁１ａ内に嵌入されている。
尚、クッション層２が不用意に接地面層１から離反しない様に、例えば、クッション層２と接地面層１との間には接着剤（図示せず）等が介在されて、クッション層２は、接地面層１の周壁１ａ内に嵌入された状態で接着されている。
【００１８】
本実施形態の釣靴用の靴底は、上記の如く構成されてなり、例えば、アッパー部（図示せず）の底側にクッション層２の上面等が接着されることにより、アッパー部の底側に取り付けられて使用される。
【００１９】
本実施形態の釣靴用の靴底は、上記の如く構成されてなるので、以下の利点を有するものである。
即ち、上記実施形態において、クッション層２は、該クッション層２の上面と周壁１ａの上面とが略面一となるように接地面層１の周壁１ａ内に嵌入されてなるので、周壁１ａの上端とクッション層２との双方を平面状のアッパー部の底面等に同時に接着することができる。
また、アッパー部の底面等に接着されると、クッション層２が外部に露出せず、クッション層２を損傷する恐れも減少する。従って、クッション層２を構成する部材として、耐摩耗性等の低い発泡材（発泡材は、未発泡のものより耐摩耗性が低いものである）を用いても、発泡材が外部に接触して摩耗すること等が防止される。
【００２０】
尚、本実施形態の釣靴用の靴底は、上記の如く構成されたが、本発明の釣靴用の靴底は、上記構成に限定されず、適宜設計変更可能である。
例えば、上記実施形態においては、補強リブ１ｂ、１ｃによって周壁１ａ内が区画されて補強リブ１ｂ、１ｃに囲まれた凹部１ｄ及び補強リブ１ｂ、１ｃと周壁１ａとに囲まれた凹部１ｄとが形成されたが、本発明においては、補強リブ１ｂ、１ｃと周壁１ａとによって囲まれた凹部１ｄのみが形成される場合であっても良い。
【００２１】
また、上記実施形態においては、周壁１ａは、上方に突出してクッション層２の側面全面を環状に囲むように構成されたが、側面の下部領域を環状に囲むように構成されてなるものであっても本発明の意図する範囲内である。
【００２２】
【発明の効果】
以上のように、本発明にかかる釣靴用の靴底は、クッション層が外周側に広がる恐れが減少し、しかも、ぶれにくくなることから、クッション層本来の衝撃吸収性が減少する恐れも少なく、歩き易いという利点を有する。
【図面の簡単な説明】
【図１】一実施形態の上面図。
【図２】図１のＡ−Ａ線断面図。
【図３】同実施形態の接地面層を示す上面図。
【図４】同実施形態において、接地面層にクッション層を嵌入する途中を示す断面図。
【図５】従来の釣靴に取り付けられた釣靴用の靴底を示す側面図。
【符号の説明】
１・・・接地面層、  １ａ・・・周壁、  １ｂ・・・縦リブ（補強リブ）、  １ｃ・・・横リブ（補強リブ）、  １ｄ・・・凹部、  ２・・・クッション層、  ２ａ・・・凸部
【図１】
0004625564.tif 000002
【図２】
0004625564.tif 000003
【図３】
0004625564.tif 000004
【図４】
0004625564.tif 000005
【図５】
0004625564.tif 000006